(57)【特許請求の範囲】
【請求項１】
蒸発器と吸収器とを収納した蒸発器吸収器胴、低温再生器と第１の凝縮器とを収納した低温再生器凝縮器胴、温廃水などの熱源温水を低温熱源とする低熱源再生器と第２の凝縮器とを収納した低熱源再生器凝縮器胴、高温再生器、低温熱交換器および高温熱交換器を配管接続するとともに、前記吸収器から前記低熱源再生器に吸収液を供給する希吸収液配管に希吸収液ポンプを設け、前記低熱源再生器から前記高温再生器に吸収液を供給する中間希吸収液配管に中間吸収液ポンプを設けて構成した一重二重効用吸収冷温水機であって、
前記低熱源再生器から前記高温熱交換器を経て前記高温再生器に吸収液を供給する配管のうちの前記高温熱交換器と前記高温再生器との間の中間吸収液配管に設けた第１の開閉弁と、
前記高温再生器から前記高温熱交換器を経て前記低温再生器に吸収液を供給する配管のうちの前記高温再生器と前記高温熱交換器との間の中間吸収液配管に設けた第２の開閉弁と、
前記高温再生器から前記低温再生器を経由して前記第１の凝縮器に冷媒を供給する配管のうちの前記低温再生器と前記第１の凝縮器との間の冷媒蒸気配管に設けた第３の開閉弁と
を全て閉弁することにより、前記高温再生器を、前記蒸発器吸収器胴、前記低温再生器凝縮器胴および前記低熱源再生器凝縮器胴から回路的に切離状態にする回路切離手段と、
前記切離状態において、前記高温再生器に設けた温水器の温水熱交換器から得られる温水の温度にもとづいて前記高温再生器の加熱を制御するとともに、前記蒸発器に設けた冷水熱交換器から得られる冷水の温度にもとづいて前記低熱源再生器に流通する前記熱源温水の流量を制御する加熱／流量制御手段
とを具備することを特徴とする一重二重効用吸収冷温水機。
【請求項２】
蒸発器と吸収器とを収納した蒸発器吸収器胴、低温再生器と第１の凝縮器とを収納した低温再生器凝縮器胴、温廃水などの熱源温水を低温熱源とする低熱源再生器と第２の凝縮器とを収納した低熱源再生器凝縮器胴、高温再生器、低温熱交換器および高温熱交換器を配管接続するとともに、前記吸収器から前記低熱源再生器に吸収液を供給する希吸収液配管に第１の希吸収液ポンプを設け、前記吸収器から前記高温再生器に吸収液を供給する希吸収液配管に第２の希吸収液ポンプを設けて構成した一重二重効用吸収冷温水機であって、
前記吸収器から前記高温熱交換器を経て前記高温再生器に吸収液を供給する配管のうちの前記高温熱交換器と前記高温再生器との間の中間吸収液配管に設けた第１の開閉弁と、
前記高温再生器から前記高温熱交換器を経て前記低温再生器に吸収液を供給する配管のうちの前記高温再生器と前記高温熱交換器１３Ｂとの間の中間吸収液配管に設けた第２の開閉弁と、
前記高温再生器から前記低温再生器を経由して前記第１の凝縮器に冷媒を供給する配管のうちの前記低温再生器と前記第１の凝縮器との間の冷媒蒸気配管に設けた第３の開閉弁と
を全て閉弁することにより、前記高温再生器を、前記蒸発器吸収器胴、前記低温再生器凝縮器胴および前記低熱源再生器凝縮器胴から回路的に切離状態にする回路切離手段と、
前記切離状態において、前記高温再生器に設けた温水器の温水熱交換器から得られる温水の温度にもとづいて前記高温再生器の加熱を制御するとともに、前記蒸発器に設けた冷水熱交換器から得られる冷水の温度にもとづいて前記低熱源再生器に流通する前記熱源温水の流量を制御する加熱／流量制御手段と
を具備することを特徴とする一重二重効用吸収冷温水機。
【発明の詳細な説明】
【０００１】
【発明の属する技術分野】
本発明は吸収冷温水機に関し、特に詳しくは低熱源再生器と凝縮器とを収納した低熱源再生器凝縮器胴を備えた一重二重効用吸収冷温水機に関する。
【０００２】
【従来の技術】
蒸発器と吸収器とを収納した蒸発器吸収器胴、低温再生器と凝縮器とを収納した低温再生器凝縮器胴、温廃水などを低温熱源とする低熱源再生器と凝縮器とを収納した低熱源再生器凝縮器胴、高温再生器、低温熱交換器、高温熱交換器、稀吸収液ポンプおよび中間吸収液ポンプを配管接続して構成する一重二重効用吸収冷温水機において、蒸発器から取り出す冷水の出口側温度に基づいて高温再生器の加熱量を制御すると共に、低温熱源の供給管と戻し管とを連通するように設けた三方弁を低温熱源の戻り温度に基づいて制御し、且つ、冷水出口側温度が所定温度以下になった時に、低温熱源の戻り温度の設定値を高める制御器を設けて、発電機の冷却水などを低温熱源として利用していても、温度が大きく低下した低温熱源が発電機に還流して結露すると云ったトラブルが生じることのない一重二重効用吸収冷温水機が、例えば特開平７−３２４８３９号公報に提案されている。
【０００３】
【発明が解決しようとする課題】
しかし、上記した従来の一重二重効用吸収冷温水機においては、冷／暖房の同時供給が行えないと云った問題点があった。すなわち、コジェネレーション対応（熱電併給）の一重二重効用吸収冷温水機においても、冬場は当然暖房主体の運転となるが、排熱利用のみで賄える程度の冷房が必要となるエリアが一部ではあるが存在するので、このような要求にも対応できる一重二重効用吸収冷温水機の運転方法を提供する必要があった。
【０００４】
【課題を解決するための手段】
本発明は、上記のような
蒸発器と吸収器とを収納した蒸発器吸収器胴、低温再生器と第１の凝縮器とを収納した低温再生器凝縮器胴、温廃水などの熱源温水を低温熱源とする低熱源再生器と第２の凝縮器とを収納した低熱源再生器凝縮器胴、高温再生器、低温熱交換器および高温熱交換器を配管接続するとともに、上記の吸収器から上記の低熱源再生器に吸収液を供給する希吸収液配管に希吸収液ポンプを設け、上記の低熱源再生器から上記の高温再生器に吸収液を供給する中間希吸収液配管に中間吸収液ポンプを設けて構成した一重二重効用吸収冷温水機において、
上記の低熱源再生器から上記の高温熱交換器を経て上記の高温再生器に吸収液を供給する配管のうちの上記の高温熱交換器と上記の高温再生器との間の中間吸収液配管に設けた第１の開閉弁と、
上記の高温再生器から上記の高温熱交換器を経て上記の低温再生器に吸収液を供給する配管のうちの上記の高温再生器と上記の高温熱交換器との間の中間吸収液配管に設けた第２の開閉弁と、
上記の高温再生器から上記の低温再生器を経由して上記の第１の凝縮器に冷媒を供給する配管のうちの上記の低温再生器と上記の第１の凝縮器との間の冷媒蒸気配管に設けた第３の開閉弁と
を全て閉弁することにより、上記の高温再生器を、上記の蒸発器吸収器胴、上記の低温再生器凝縮器胴および上記の低熱源再生器凝縮器胴から回路的に切離状態にする回路切離手段と、
上記の切離状態において、上記の高温再生器に設けた温水器の温水熱交換器から得られる温水の温度にもとづいて上記の高温再生器の加熱を制御するとともに、上記の蒸発器に設けた冷水熱交換器から得られる冷水の温度にもとづいて上記の低熱源再生器に流通する上記の熱源温水の流量を制御する加熱／流量制御手段
と
を設ける第１の構成と、
【０００５】
蒸発器と吸収器とを収納した蒸発器吸収器胴、低温再生器と第１の凝縮器とを収納した低温再生器凝縮器胴、温廃水などの熱源温水を低温熱源とする低熱源再生器と第２の凝縮器とを収納した低熱源再生器凝縮器胴、高温再生器、低温熱交換器および高温熱交換器を配管接続するとともに、上記の吸収器から上記の低熱源再生器に吸収液を供給する希吸収液配管に第１の希吸収液ポンプを設け、上記の吸収器から上記の高温再生器に吸収液を供給する希吸収液配管に第２の希吸収液ポンプを設けて構成した一重二重効用吸収冷温水機において、
上記の吸収器から上記の高温熱交換器を経て上記の高温再生器に吸収液を供給する配管のうちの上記の高温熱交換器と上記の高温再生器との間の中間吸収液配管に設けた第１の開閉弁と、
上記の高温再生器から上記の高温熱交換器を経て上記の低温再生器に吸収液を供給する配管のうちの上記の高温再生器と上記の高温熱交換器１３Ｂとの間の中間吸収液配管に設けた第２の開閉弁と、
上記の高温再生器から上記の低温再生器を経由して上記の第１の凝縮器に冷媒を供給する配管のうちの上記の低温再生器と上記の第１の凝縮器との間の冷媒蒸気配管に設けた第３の開閉弁と
を全て閉弁することにより、上記の高温再生器を、上記の蒸発器吸収器胴、上記の低温再生器凝縮器胴および上記の低熱源再生器凝縮器胴から回路的に切離状態にする回路切離手段と、
上記の切離状態において、上記の高温再生器に設けた温水器の温水熱交換器から得られる温水の温度にもとづいて上記の高温再生器の加熱を制御するとともに、上記の蒸発器に設けた冷水熱交換器から得られる冷水の温度にもとづいて上記の低熱源再生器に流通する上記の熱源温水の流量を制御する加熱／流量制御手段と
を設ける第２の構成とにより、上記の課題を解決したものである。
【０００６】
【発明の実施の形態】
〔第１の実施形態〕
本発明の第１の実施形態を図１に基づいて説明する。図１に例示した一重二重効用吸収冷温水機は、冷媒に水、吸収液（溶液）に臭化リチウム（ＬｉＢｒ）溶液を用いるものであり、１は蒸発器、２は吸収器、３は蒸発器１と吸収器２とを収納した蒸発器吸収器胴（以下、下胴と云う）、４は例えばガスバーナ５を備えた高温再生器、６は低温再生器、７は低温再生器６のための凝縮器（以下、第１凝縮器と云う）、８は低温再生器６と第１凝縮器７とを収納した低温再生器凝縮器胴（以下、第１上胴と云う）、９は例えば９５℃前後の温廃水を低温熱源とする低熱源再生器、１０は低熱源再生器９のための凝縮器（以下、第２凝縮器と云う）、１１は低熱源再生器９と第２凝縮器１０とを収納した低熱源再生器凝縮器胴（以下、第２上胴と云う）、１２は温水器、１３Ａは低温熱交換器、１３Ｂは高温熱交換器である。
【０００７】
２Ａは吸収器２の下部に形成された稀吸収液溜りであり、この稀吸収液溜り２Ａと低熱源再生器９の気相部とは、途中に稀吸収液ポンプＰ１を備えた稀吸収液配管１４により配管接続されている。また、低熱源再生器９の下部に形成された中間吸収液溜り９Ａと高温再生器４の気相部とは、途中に中間吸収液ポンプＰ２と開閉弁１５Ｖを備えた中間吸収液配管１５によって配管接続されている。この開閉弁１５Ｖは冷水供給時に開弁され、温水供給時に閉弁される。
【０００８】
４Ａは高温再生器４に形成された中間吸収液溜りであり、この中間吸収液溜り４Ａと低温再生器６の気相部とは、途中に開閉弁１６Ｖと高温熱交換器１３Ｂを備えた中間吸収液配管１６によって配管接続されている。そして、この開閉弁１６Ｖも冷水供給運転時に開弁され、温水供給運転時に閉弁される。また、低温再生器６の下部に形成された濃吸収液溜り６Ａと吸収器２の気相部に設けられた濃吸収液散布装置２Ｂとは、途中に低温熱交換器１３Ａを備えた濃吸収液配管１７によって配管接続されている。
【０００９】
また、中間吸収液ポンプＰ２の吸込側の中間吸収液配管１５Ａと低温熱交換器１３Ａの上流側の濃吸収液配管１７Ａとは、吸収液配管１８により配管接続されている。そして、この吸収液配管１８は第１上胴８よりも低いレベルに設置され、第２上胴１１内の圧力と第１上胴８内の圧力の間に差が生じた場合でも、各胴間を吸収液によってＵシールできるようになっている。
【００１０】
１９は高温再生器４の気相部から第１上胴８に至る冷媒蒸気配管であり、低温再生器６の内部を経由して第１凝縮器７の底部に開口している。この冷媒蒸気配管１９は高温再生器４の気相部から低温再生器６の濃吸収液溜り６Ａに至る冷媒蒸気配管１９Ａと、低温再生器６の濃吸収液溜り６Ａから第１凝縮器７に至る冷媒蒸気配管１９Ｂとからなり、冷媒蒸気配管１９Ｂの開閉弁１９Ｖは冷水供給時に開弁され、温水供給時に閉弁される。
【００１１】
２１は第１凝縮器７の底部と蒸発器１の気相部とを配管接続する第１冷媒液配管であり、この第１冷媒液配管２１にＵシール部２１Ａが形成されている。また、２２は第２凝縮器１０の底部と第１冷媒液配管２１のＵシール部２１Ａとを配管接続する第２冷媒液配管である。このため、この第２冷媒液配管２２にも、第１冷媒液配管２１との接続部にＵシール部２２Ａが形成されることになる。
【００１２】
２３は蒸発器１の冷媒液溜り１Ａと冷媒散布装置１Ｂとを配管接続する冷媒液循環配管であり、この冷媒液循環配管２３の途中に冷媒液ポンプＰ３が設けられている。
【００１３】
２５は冷水配管２５Ａ・冷水熱交換器２５Ｂ・冷水配管２５Ｃからなる冷水配管であり、図示しない冷房負荷などに接続される。また、２６は冷却水配管であり、この冷却水配管２６は冷却塔（図示せず）から吸収器熱交換器２６Ａ・第１凝縮器熱交換器２６Ｂ・第２凝縮器熱交換器２６Ｃを経て冷却塔に還流する冷却水の循環路を形成している。
【００１４】
２７は９５℃程度の温廃水、例えば図示しない発電機の冷却水などを低温熱源（以下、熱源温水と云う）として低熱源再生器９に供給するための低熱源供給配管であり、低熱源供給管２７Ａ・低熱源熱交換器２７Ｂ・低熱源戻し管２７Ｃ・側路管２７Ｄ・三方弁である流量制御弁２７Ｅから構成されている。
【００１５】
２８は高温再生器４の気相部と温水器１２の側部とを配管接続している蒸気配管であり、２９は途中に開閉弁２９Ｖを備えて高温再生器４の気相部と温水器１２の底部とを配管接続している液配管である。この開閉弁２９Ｖは冷水供給時に閉弁され、温水供給時に開弁される。また、３０は温水配管３０Ａ・温水熱交換器３０Ｂ・温水配管３０Ｃからなる温水配管であり、図示しない暖房負荷などに接続される。
【００１６】
Ｓ１は冷水配管２５Ｃに設置されてこの中を流れている冷水の温度を検出して制御器Ｃに出力する温度センサ、Ｓ２は温水配管３０Ｃに設置されてこの中を流れている温水の温度を検出して制御器Ｃに出力する温度センサである。
【００１７】
冬季の暖房運転時には、開閉弁１５Ｖ・１６Ｖ・１９Ｖを閉弁して高温再生器４を下胴３・第１上胴８・第２上胴１１から回路的に切り離すと共に、開閉弁２９Ｖを開弁した状態でガスバーナ５に点火し、高温再生器４内の溶液を加熱して溶液に溶解している冷媒を蒸発分離させる。
【００１８】
高温再生器４で加熱生成された冷媒蒸気は、蒸気配管２８を経て温水器１２に流入し、ここで温水配管３０の温水熱交換器３０Ｂ内を流れる温水に放熱してこれを加熱すると共に、冷媒自身は凝縮し、液配管２９を通って高温再生器４に戻り再び加熱されると云った冷媒循環が起こる。
【００１９】
この暖房運転において、温度センサＳ２が計測して出力する温水の温度が所定の温度、例えば５５℃になるように、ガスバーナ５の火力、具体的にはガスバーナ５に供給するガスの量が制御器Ｃによって制御されるので、温水配管３０を介して循環供給される所定の温度の温水によって暖房などが行える。
【００２０】
同時に制御器Ｃは、温度センサＳ１が検出して出力する冷水の温度が所定の温度、例えば７℃になるように流量制御弁２７Ｅの開度を制御するので、冷水配管２５によって循環供給される所定の温度の冷水により冷房などが行える。
【００２１】
すなわち、高温再生器４から回路的に切り離された下胴３・第１上胴８・第２上胴１１側では、制御器Ｃによって稀吸収液ポンプＰ１・冷媒ポンプＰ３が運転されると共に、冷却水配管２６からは冷却水が供給され、低熱源供給配管２７からは９５℃程度の熱源温水が供給されるので、吸収器２の稀吸収液溜り２Ａから稀吸収液配管１４を介して稀吸収液ポンプＰ１により第２上胴１１の低熱源再生器９に送り込まれた稀吸収液は、低熱源供給配管２７から供給される熱源温水により低熱源熱交換器２７Ｂを介して加熱され、冷媒を蒸発分離する。
【００２２】
冷媒を蒸発分離して吸収液濃度が高くなった中間吸収液は、中間吸収液配管１５Ａ・吸収液配管１８・濃吸収液配管１７Ａ・低温熱交換器１３Ａ・濃吸収液配管１７Ｂを経て、吸収器２の濃吸収液散布装置２Ｂから吸収器熱交換器２６Ａに散布され、吸収器２に戻される。
【００２３】
一方、低熱源再生器９で加熱され吸収液から蒸発分離された冷媒蒸気は第２凝縮器１０に入り、冷却水配管２６の第２凝縮器熱交換器２６Ｃ内を流れる冷却水に放熱して凝縮し、第２冷媒液配管２２を下ってＵシール部２２Ａ・２１Ａに溜る。Ｕシール部２２Ａ・２１Ａに溜った冷媒液は溢れて蒸発器１に流入する。
【００２４】
蒸発器１の冷媒液溜り１Ａに溜った冷媒液は、冷媒液循環配管２３の冷媒液ポンプＰ３の運転によって、冷媒散布装置１Ｂから冷水熱交換器２５Ｂに散布される。そして、冷媒液は冷水熱交換器２５Ｂの内部を通る冷水から蒸発熱を奪って蒸発するので、冷水熱交換器２５Ｂの内部を通る冷水は冷却され、こうして温度を下げた冷水が冷水配管２５Ｃから冷房負荷に供給されて冷房が行われる。
【００２５】
そして、蒸発器１で蒸発した冷媒は吸収器２へ流入し、低熱源再生器９より供給されて濃吸収液散布装置２Ｂから散布される中間吸収液に吸収されて、稀吸収液溜り２Ａに溜り第２上胴１１の低熱源再生器９に送られる。
【００２６】
冷媒と吸収液の上記一重効用冷凍サイクルにおいて、温度センサＳ１が検出して出力する温度、すなわち蒸発器１内の冷水熱交換器２５Ｂで冷却され、冷水配管２５Ｃに流れ出た冷水の温度が所定の７℃になるように低熱源再生器９における冷媒蒸気の発生量、具体的には低熱源供給配管２７から低熱源熱交換器２７Ｂに取り込む熱源温水の量、すなわち流量制御弁２７Ｅの開度が制御器Ｃにより制御されるので、冷水配管２５Ｃには所定の温度の冷水が流れるようになり、この冷水によって冷房などが行われる。
【００２７】
なお、開閉弁１５Ｖ・１６Ｖ・１９Ｖを開弁して高温再生器４と、下胴３・第１上胴８・第２上胴１１側とを連通して運転する夏期の一重二重効用の冷房運転は、例えば特開平７−３２４８３９号公報などに開示されているように運転すれば良い。
上記の第１の実施形態の構成は、概括的には、
蒸発器1と吸収器２とを収納した蒸発器吸収器胴３、低温再生器６と第１凝縮器７とを収納した低温再生器凝縮器胴８、温廃水などの熱源温水を低温熱源とする低熱源再生器９と第２凝縮器１０とを収納した低熱源再生器凝縮器胴１１、高温再生器４、低温熱交換器１３Ａおよび高温熱交換器１３Ｂを配管接続するとともに、
吸収器２から低熱源再生器９に吸収液を供給する希吸収液配管１４に希吸収液ポンプＰ１を設け、低熱源再生器９から高温再生器４に吸収液を供給する中間希吸収液配管１５Ａに中間吸収液ポンプＰ２を設けて構成した一重二重効用吸収冷温水機において、
低熱源再生器９から高温熱交換器１３Ｂを経て高温再生器４に吸収液を供給する配管のうちの高温熱交換器１３Ｂと高温再生器４との間の中間吸収液配管１５に設けた開閉弁１５Ｖと、
高温再生器４から高温熱交換器１３Ｂを経て低温再生器６に吸収液を供給する配管のうちの高温再生器４と高温熱交換器１３Ｂとの間の中間吸収液配管１６に設けた開閉弁１６Ｖと、
高温再生器４から低温再生器６を経由して第１凝縮器７に冷媒を供給する配管のうちの低温再生器６と第１凝縮器７との間の冷媒蒸気配管１９Ｂに設けた開閉弁１９Ｖと
を全て閉弁することにより、高温再生器４を、蒸発器吸収器胴３、低温再生器凝縮器胴８および低熱源再生器凝縮器胴１１から回路的に切離状態にする回路切離手段と、
上記の切離状態において、高温再生器４に設けた温水器１２の温水熱交換器３０Ｂから得られる温水の温度にもとづいて高温再生器４の加熱を制御するとともに、蒸発器1に設けた冷水熱交換器２５Ｂから得られる冷水の温度にもとづいて低熱源再生器９に流通する熱源温水の流量を制御する加熱／流量制御手段と
を設けた上記の第１の構成を記載していることになるものである。
【００２８】
〔第２の実施形態〕
本発明の第２の実施形態を図２に基づいて説明する。図２に例示した一重二重効用吸収冷温水機も冷媒に水、吸収液（溶液）に臭化リチウム（ＬｉＢｒ）溶液を用いるものであり、この吸収冷温水機が図１に示した一重二重効用吸収冷温水機と相違する点は、図１の一重二重効用吸収冷温水機が備えていた中間吸収液ポンプＰ２・吸収液配管１８などを取り除く代わりに、第２の稀吸収液ポンプＰ４と、中間熱交換器３１とを設けるようにした点にあり、主に図１に示した一重二重効用吸収冷温水機と相違する部分について説明する。
【００２９】
第２の稀吸収液ポンプＰ４は稀吸収液配管１４Ａに設置され、この稀吸収液配管１４Ａを介して稀吸収液ポンプＰ４の吸入側が吸収器２の稀吸収液溜り２Ａに接続され、吐出側が低温熱交換器１３Ａ・高温熱交換器１３Ｂを経て開閉弁１５Ｖに接続され、さらに中間吸収液配管１５を介して高温再生器４の気相部に接続されている。
【００３０】
稀吸収液ポンプＰ１が吸収器２の稀吸収液溜り２Ａから第２上胴１１の低熱源再生器９に送り込んでいる稀吸収液と熱交換するために稀吸収液配管１４に設けた中間熱交換器３１は、その一方の入口に、図１に例示した一重二重効用吸収冷温水機において第２上胴１１の低熱源再生器９の中間吸収液溜り９Ａに配管接続されていた中間吸収液配管１５Ａの他端が配管接続され、他方の入口には中間吸収液配管１５Ｂが配管接続され、この中間吸収液配管１５Ｂを介して低温熱交換器１３Ａから吸収器２の濃吸収液散布装置２Ｂに至る濃吸収液配管１７Ｂの開閉弁１７Ｖ下流側に接続している。
【００３１】
上記図２に示した構成の一重二重効用吸収冷温水機においても、開閉弁１５Ｖ・１６Ｖ・１９Ｖを閉じて高温再生器４を下胴３・第１上胴８・第２上胴１１から回路的に切り離して行う冬季の暖房運転は、前記図１に示した一重二重効用吸収冷温水機の場合と全く同様に制御器Ｃにより高温再生器４側を動作させて、温水配管３０から所定の温度の温水を循環供給して暖房などが行われる。
【００３２】
このときの冷房運転も、制御器Ｃは前記図１に示した一重二重効用吸収冷温水機の一重効用運転と全く同様に、温度センサＳ１が検出して出力する冷水の温度が所定の温度、例えば７℃になるように流量制御弁２７Ｅの開度を制御し、冷水配管２５から循環供給される所定の温度の冷水によって冷房などが行われる。
【００３３】
すなわち、高温再生器４から回路的に切り離された下胴３・第１上胴８・第２上胴１１側では、制御器Ｃによって稀吸収液ポンプＰ１・冷媒ポンプＰ３が運転されると共に、冷却水配管２６からは冷却水が供給され、低熱源供給配管２７からは９５℃程度の熱源温水が供給されるので、吸収器２の稀吸収液溜り２Ａから稀吸収液配管１４を介して稀吸収液ポンプＰ１により第２上胴１１の低熱源再生器９に送り込まれた稀吸収液は、低熱源供給配管２７から供給される熱源温水により低熱源熱交換器２７Ｂを介して加熱され、冷媒を蒸発分離する。
【００３４】
冷媒を蒸発分離して吸収液濃度が高くなった中間吸収液は、中間吸収液配管１５Ａ・中間熱交換器３１・濃吸収液配管１７Ｂを経て、吸収器２の濃吸収液散布装置２Ｂから吸収器熱交換器２６Ａに散布され、吸収器２に戻される。
【００３５】
一方、低熱源再生器９で加熱され吸収液から蒸発分離された冷媒蒸気は、前記図１の一重二重効用吸収冷温水機と全く同様に流れて第２凝縮器１０で凝縮し、蒸発器１に入って蒸発し、吸収器２に入って濃吸収液散布装置２Ｂから散布される中間吸収液に吸収される。そして、蒸発器１における冷媒の蒸発により冷水熱交換器２５Ｂで冷却された冷水が、冷水配管２５Ｃから負荷に循環供給されて冷房が行われる。
【００３６】
なお、開閉弁１５Ｖ・１６Ｖ・１９Ｖを開弁し、高温再生器４と下胴３・第１上胴８・第２上胴１１側とを連通して運転する夏期の一重二重効用の冷房運転は、開閉弁１７Ｖ・２９Ｖを閉弁した状態で、二つの稀吸収液ポンプＰ１・Ｐ２を起動して行う。
【００３７】
すなわち、吸収器２の稀吸収液溜り２Ａに溜っている稀吸収液を、稀吸収液ポンプＰ１によって低熱源再生器９に送り込み、低熱源供給配管２７から供給される熱源温水により加熱して冷媒を蒸発させると共に、稀吸収液ポンプＰ４で高温再生器４にも送り込み、ガスバーナ５により加熱して冷媒を蒸発させる。
【００３８】
そして、低熱源再生器９で加熱され、冷媒を蒸発分離して吸収液の濃度が高くなった中間吸収液は、稀吸収液ポンプＰ４により吸収器２から高温再生器４に送られている稀吸収液と中間熱交換器３１で熱交換した後、濃吸収液散布装置２Ｂから散布され、吸収器２に戻される。
【００３９】
また、高温再生器４で加熱され、冷媒を蒸発分離して吸収液の濃度が高くなった中間吸収液は通常の二重効用吸収冷温水機と同様に、すなわち稀吸収液ポンプＰ４により吸収器２から高温再生器４に送られている稀吸収液と高温熱交換器１３Ｂで熱交換したのち低温再生器６に流入し、ここでさらに冷媒を蒸発分離して濃吸収液となり、この濃吸収液が低温熱交換器１３Ａで前記稀吸収液と熱交換器して濃吸収液散布装置２Ｂから散布され、吸収器２に戻される。
【００４０】
この場合、制御器Ｃによって、稀吸収液ポンプＰ１の運転を稀吸収液ポンプＰ４に優先して行う。すなわち、低熱源供給配管２７から供給される熱源温水を使用した低熱源再生器９における冷媒の加熱生成を、ガスバーナ５を使用した高温再生器４における冷媒の加熱生成より優先させ、低熱源再生器９における冷媒の加熱生成を行っても蒸発器１に供給して蒸発させる冷媒が不足し、冷水配管２５Ｃから供給する冷水の温度が所定の温度に低下しないときには、稀吸収液ポンプＰ４を運転して吸収器２から高温再生器４に稀吸収液を送り込むと共に、ガスバーナ５に点火して高温再生器４における冷媒の加熱生成を行い、蒸発器１で蒸発する冷媒の量を増やし、これにより冷水配管２５Ｃから供給する冷水の温度を所定の温度まで下げるので、ガスバーナ５で消費するガス量の節約ができる。
【００４１】
上記の第２の実施形態の構成は、概括的には、
蒸発器1と吸収器２とを収納した蒸発器吸収器胴３、低温再生器６と第１凝縮器７とを収納した低温再生器凝縮器胴８、温廃水などの熱源温水を低温熱源とする低熱源再生器９と第２凝縮器１０とを収納した低熱源再生器凝縮器胴１１、高温再生器４、低温熱交換器１３Ａおよび高温熱交換器１３Ｂを配管接続するとともに、
吸収器２から低熱源再生器９に吸収液を供給する希吸収液配管１４に第１の希吸収液ポンプＰ１を設け、吸収器２から高温再生器４に吸収液を供給する希吸収液配管１４Ａに第２の希吸収液ポンプＰ４を設けて構成した一重二重効用吸収冷温水機において、
吸収器２から高温熱交換器１３Ｂを経て高温再生器４に吸収液を供給する配管のうちの高温熱交換器１３Ｂと高温再生器４との間の中間吸収液配管１５に設けた開閉弁１５Ｖと、
高温再生器４から高温熱交換器１３Ｂを経て低温再生器６に吸収液を供給する配管のうちの高温再生器４と高温熱交換器１３Ｂとの間の中間吸収液配管１６に設けた開閉弁１６Ｖと、
高温再生器４から低温再生器６を経由して第１凝縮器７に冷媒を供給する配管のうちの低温再生器６と第１凝縮器７との間の冷媒蒸気配管１９Ｂに設けた開閉弁１９Ｖと
を全て閉弁することにより、高温再生器４を、蒸発器吸収器胴３、低温再生器凝縮器胴８および低熱源再生器凝縮器胴１１から回路的に切離状態にする回路切離手段と、
上記の切離状態において、高温再生器４に設けた温水器１２の温水熱交換器３０Ｂから得られる温水の温度にもとづいて高温再生器４の加熱を制御するとともに、蒸発器1に設けた冷水熱交換器２５Ｂから得られる冷水の温度にもとづいて低熱源再生器９に流通する熱源温水の流量を制御する加熱／流量制御手段と
を設けた上記の第２の構成を記載していることになるものである。
ところで、本発明は、上記の実施例に限定されるものではないので、特許請求の範囲に記載の趣旨から逸脱しない範囲で各種の変形実施が可能である。
【００４２】
例えば、冷却水が第２凝縮器熱交換器２６Ｃ、吸収器熱交換器２６Ａ、第１凝縮器熱交換器２６Ｂと流れるように冷却水配管２６が配管されても良い。
【００４３】
また、冷却水が第２凝縮器熱交換器２６Ｃ、第１凝縮器熱交換器２６Ｂ、吸収器熱交換器２６Ａと流れるように冷却水配管２６が配管されても良い。
【００４４】
【発明の効果】
以上説明したように本発明によれば、発電機などの冷却に使用した温廃水などを用いる効率の高い一重二重効用の冷房運転が夏季に可能な一重二重効用吸収冷温水機を用いて、殆どが暖房負荷となる冬季にはガスや油などを燃料とする高温再生器に設置した熱交換器を用いる暖房運転が可能であり、一部に残る冷房負荷には前記温廃水などを利用した一重効用の冷房運転で対応することができる。
【図面の簡単な説明】
【図１】請求項１に係わる一重二重効用吸収冷温水機の概略構成図である。
【図２】請求項２に係わる一重二重効用吸収冷温水機の概略構成図である。
【符号の説明】
１      蒸発器
１Ｂ    冷媒散布装置
２      吸収器
２Ａ    稀吸収液溜り
２Ｂ    濃吸収液散布装置
３      下胴（蒸発器吸収器胴）
４      高温再生器
６      低温再生器
７      第１凝縮器
８      第１上胴（低温再生器凝縮器胴）
９      低熱源再生器
１０    第２凝縮器
１１    第２上胴（低熱源再生器凝縮器胴）
１２    温水器
１３Ａ  低温熱交換器
１３Ｂ  高温熱交換器
１４    稀吸収液配管
１５    中間吸収液配管
１６    中間吸収液配管
１７    濃吸収液配管
１８    吸収液配管
１９    冷媒蒸気配管
２１    第１冷媒液配管
２２    第２冷媒液配管
２３    冷媒液循環配管
２５    冷水配管
２５Ｂ  冷水熱交換器
２５Ｃ  冷水配管
２６    冷却水配管
２６Ａ  吸収器熱交換器
２６Ｂ  第１凝縮器熱交換器
２６Ｃ  第２凝縮器熱交換器
２７    低熱源供給配管
２７Ａ  低熱源供給管
２７Ｂ  低熱源熱交換器
２７Ｃ  低熱源戻し管
２７Ｄ  側路管
２７Ｅ  流量制御弁
２８    蒸気配管
２９    液配管
３０    温水配管
３１    中間熱交換器
Ｃ      制御器
Ｐ１    稀吸収液ポンプ
Ｐ２    中間吸収液ポンプ
Ｐ３    冷媒液ポンプ
Ｐ４    稀吸収液ポンプ
Ｓ１・Ｓ２  温度センサ
【図１】
0003754206.tif 000002
【図２】
0003754206.tif 000003